(57)【要約】【課題】ショートメッセージサービス（ＳＭＳ）に関連付けられた制御シグナリングをプロキシ機能によってカバーすること。【解決手段】ＳＭＳメッセージをインターワーキングワイヤレスローカルネットワーク・ユーザ機器（Ｉ−ＷＬＡＮ  ＵＥ）に配信する方法は、インターネットプロトコルショートメッセージゲートウェイ（ＩＰ−ＳＭ−ＧＷ）にＵＥを登録することによって開始する。ＵＥのケーパビリティを含むケーパビリティレポートが、ＵＥからＩＰ−ＳＭ−ＧＷに送信される。ＳＭＳメッセージが、ショートメッセージサービスセンタ（ＳＭＳＣ）からＩＰ−ＳＭ−ＧＷに送信される。ＩＰ−ＳＭ−ＧＷにおいて、ＵＥのケーパビリティを評価して、ＵＥがＳＭＳメッセージを受信できるか否かを判定する。ＵＥがＳＭＳメッセージを受信するケーパビリティを有していた場合、ＳＭＳメッセージは、ＩＰ−ＳＭ−ＧＷを介して、ＵＥに配信される。【選択図】図２
2014207677.tif 000002
【特許請求の範囲】
【請求項１】
ユーザ機器（ＵＥ）における使用の方法であって、
前記ＵＥが、無線ネットワークを介してケーパビリティ情報を送信するステップであって、前記ケーパビリティ情報は、前記ＵＥのショートメッセージサービス（ＳＭＳ）ケーパビリティを示す、送信するステップと、
前記ＵＥが、前記無線ネットワークと１又は２以上のＩＰマルチメディアサブシステム（ＩＭＳ）サーバとを介して第１のセッション開始プロトコル（ＳＩＰ）メッセージを受信するステップであって、前記第１のＳＩＰメッセージは、ショートメッセージサービス（ＳＭＳ）メッセージを含む、受信するステップと、
前記ＵＥが、前記無線ネットワークと前記１又は２以上のＩＭＳサーバとを介して第２のＳＩＰメッセージを送信するステップであって、前記第２のＳＩＰメッセージは、ＳＩＰ  ＯＫメッセージであり、前記第２のＳＩＰメッセージは、前記第１のＳＩＰメッセージに応答するものである、送信するステップと
を備えたことを特徴とする方法。
【請求項２】
前記１又は２以上のＩＭＳサーバは、インターネットプロトコルショートメッセージゲートウェイ（ＩＰ−ＳＭ−ＧＷ）を含むことを特徴とする請求項１に記載の方法。
【請求項３】
前記１又は２以上のＩＭＳサーバは、呼状態制御機能（ＣＳＣＦ）を含むことを特徴とする請求項１に記載の方法。
【発明の詳細な説明】
【技術分野】
【０００１】
本発明は、一般に、ワイヤレスローカルエリアネットワーク（ＷＬＡＮ：Wireless Local Area Network）に関し、より詳細には、ＷＬＡＮを介したショートメッセージサービス（ＳＭＳ：Short Message Service）をサポートする、ターミナルのケーパビリティ（terminal capability）をレポートするための方法および装置に関する。
【背景技術】
【０００２】
ＷＬＡＮにおいてＩＰ（Internet Protocol）を用いたＳＭＳをサポートする現行のアーキテクチャは、ユーザ機器（ＵＥ：User Equipment）の代表として、ＩＰゲートウェイにおいて、ＳＭＳプロキシを使用している。ＳＭＳプロキシは、共通線信号Ｎｏ．７（ＳＳ７：Signaling System No.7）の移動通信応用部（ＭＡＰ：Mobile Application Part）（すなわち、ＧＳＭ（Global System for Mobile communication）／ＧＰＲＳ（General Packet Radio Service）に関する既存のＳＭＳ）に対するターミナルのフロントエンドとして動作する。
【発明の概要】
【発明が解決しようとする課題】
【０００３】
ＳＭＳに関連付けられた制御シグナリングは、現在のところ、プロキシ機能によってカバーされてはいない。
【課題を解決するための手段】
【０００４】
本発明により、ＳＭＳデータメッセージが、ＳＳ７／ＭＡＰフォーマットから抽出され、そのメッセージが、ＩＰベースのプロトコルを用いることによって、インターワーキングＷＬＡＮ（Ｉ−ＷＬＡＮ：Interworking WLAN）  ＵＥに配信される。本発明では、ＳＭＳ  ＩＰゲートウェイにおけるＳＭＳプロキシ機能が、ＧＳＭ／ＧＰＲＳ  ＵＥにおけるＳＭＳクライアントにより実行される全ての機能を実行する。
【０００５】
ＳＭＳメッセージをＩ−ＷＬＡＮ  ＵＥに配信する方法は、ＩＰショートメッセージゲートウェイ（ＩＰ−ＳＭ−ＧＷ：IP Short Message GateWay）にＵＥを登録することによって開始する。ＵＥのケーパビリティを含むケーパビリティレポートが、ＵＥからＩＰ−ＳＭ−ＧＷに送信される。ＳＭＳメッセージは、ショートメッセージサービスセンタ（ＳＭＳＣ：Short Message Service Center）からＩＰ−ＳＭ−ＧＷに送信される。ＩＰ−ＳＭ−ＧＷにおいて、ＵＥのケーパビリティを評価して、ＵＥがＳＭＳメッセージを受信できるか否かを判定する。ＵＥがＳＭＳメッセージを受信するケーパビリティを有していた場合、ＳＭＳメッセージが、ＩＰ−ＳＭ−ＧＷを介して、ＵＥに配信される。
【０００６】
Ｉ−ＷＬＡＮ  ＵＥからＳＭＳメッセージを送信する方法は、ＩＰ−ＳＭ−ＧＷにＵＥを登録することによって開始する。ＵＥのケーパビリティを含むケーパビリティレポートが、ＵＥからＩＰ−ＳＭ−ＧＷに送信される。これによって、ＩＰ−ＳＭ−ＧＷは、ＵＥのプロキシとして動作する。ＳＭＳメッセージは、ＵＥからＩＰ−ＳＭ−ＧＷに送信される。そのＳＭＳメッセージが、ＩＰ−ＳＭ−ＧＷを介して、ＳＭＳＣに送信される。
【０００７】
ＳＭＳメッセージをＩ−ＷＬＡＮ  ＵＥに配信するシステムは、ＳＭＳＣと、ＩＰ−ＳＭ−ＧＷと、ケーパビリティレポートとを備える。ＳＭＳＣは、ＵＥに配信するためのＳＭＳメッセージを送信する。ＵＥは、ＩＰ−ＳＷ−ＧＷに登録され、ＩＰ−ＳＷ−ＧＷは、ＳＭＳＣにより送信されたＳＭＳメッセージを受信する。ＵＥのケーパビリティを含むケーパビリティレポートが、ＵＥからＩＰ−ＳＭ−ＧＷに送信される。ＩＰ−ＳＭ−ＧＷは、ケーパビリティレポートを評価し、ＵＥがＳＭＳメッセージを受信するケーパビリティを有していた場合、ＳＭＳメッセージをＵＥに配信する。
【０００８】
Ｉ−ＷＬＡＮ  ＵＥからＳＭＳメッセージを送信するシステムは、ＩＰ−ＳＭ−ＧＷと、ケーパビリティレポートと、ＳＭＳＣとを備える。ＵＥは、ＩＰ−ＳＷ−ＧＷに登録され、ＵＥのケーパビリティを含むケーパビリティレポートをＩＰ−ＳＭ−ＧＷに送信する。ＩＰ−ＳＭ−ＧＷは、ＵＥのプロキシとして動作し、ＵＥにより送信されたＳＭＳメッセージを受信する。ＩＰ−ＳＭ−ＧＷが、そのＳＭＳメッセージをＳＭＳＣに転送する。
【図面の簡単な説明】
【０００９】
【図１】ＳＭＳシステムを示すブロック図である。
【図２】ショートメッセージをＷＬＡＮ  ＵＥに配信する方法を示すフロー図である。
【図３】ＳＩＰ／ＩＭＳを使用して、ショートメッセージをＷＬＡＮ  ＵＥに配信する方法を示すフロー図である。
【図４】ＷＬＡＮ  ＵＥからショートメッセージを送信する方法を示すフロー図である。
【図５】ＳＩＰ／ＩＭＳを使用して、ＷＬＡＮ  ＵＥからショートメッセージを送信する方法を示すフロー図である。
【発明を実施するための形態】
【００１０】
添付図面とあわせて理解すべき例示する以下の好ましい実施形態の記載から、本発明をより詳細に理解することができよう。
【００１１】
以下において、ユーザ機器（ＵＥ）には、ワイヤレス送受信ユニット（ＷＴＲＵ：Wireless Transmit/Receive Unit）、移動局、固定式もしくは移動式加入者ユニット、ページャ、または、ワイヤレス環境において動作することができるその他の任意のタイプのデバイスが含まれるが、これらに限定されるものではない。また、以下において、「基地局」と呼ぶときは、この用語には、ノードＢ、サイトコントローラ、アクセスポイント、または、ワイヤレス環境におけるその他の任意のタイプのインタフェーシングデバイスが含まれるが、これらに限定されるものではない。以下の諸実施形態について、ＵＥと関連させて説明するが、それらの実施形態は、ＷＴＲＵにも適用できる。
【００１２】
図１は、ＳＭＳシステム１００を示す図である。このシステム１００は、ショートメッセージエンティティ（ＳＭＥ：Short Message Entity）１０２を備えている。このＳＭＥ１０２は、ショートメッセージを送受信することができる。ＳＭＥ１０２は、ＳＭＳＣ１０４と通信する。ＳＭＳＣ１０４は、ＳＭＥ１０２とＵＥとの間でやり取りされるショートメッセージをリレーして、記憶転送する（store-and-forward）役割を担う。
【００１３】
関門移動通信交換局（ＧＭＳＣ：Gateway Mobile Switching Center）／ＳＭＳインターワーキング移動通信交換局（ＳＭＳ−ＩＷＭＳＣ：SMS InterWorking Mobile Switching Center）１０６は、２つの機能、すなわち、ＧＭＳＣ機能とＳＭＳ−ＩＷＭＳＣ機能とを有する。ＧＭＳＣ機能は、ＳＭＳＣ１０４からショートメッセージを受信する。そして、ＧＭＳＣ機能は、情報をルーティングするために、ホームサブスクライバサーバ（ＨＳＳ：Home Subscriber Server）／ホームロケーションレジスタ（ＨＬＲ：Home Location Register）１０８に問い合わせて、受信側ＵＥがアクセスするＭＳＣまたはＳＧＳＮ（Serving GPRS Support Node）にショートメッセージを送信する。ＳＭＳ−ＩＷＭＳＣ機能は、ＵＥからショートメッセージを受信し、そのショートメッセージを、適切なＳＭＳＣに転送する。図１には、ＳＭＳＣ１０４とＧＭＳＣ／ＳＭＳ−ＩＷＭＳＣ１０６とを別々のエンティティとして示したが、これらは、単一のエンティティに統合することができる。
【００１４】
ＨＳＳ／ＨＬＲ１０８は、ＷＬＡＮの認証・許可・アカウンティング（ＡＡＡ：Authentication, Authorization, and Accounting）サーバ１１０と通信する。ＡＡＡサーバ１１０は、どのＵＥがＷＬＡＮにアクセスすることができるかに関する情報と、ＵＥがどのサービスを使用することが許されているかに関する情報と、各ＵＥに関するアカウンティング記録とを有する。
【００１５】
非ＩＰベースの設定では、ＧＭＳＣ／ＳＭＳ−ＩＷＭＳＣ１０６は、ＭＳＣ１１２およびＳＧＳＮ１１４と通信する。ＭＳＣ１１２およびＳＧＳＮ１１４は双方、ＵＥ１１６と通信する。ＭＳＣ１１２は、スイッチング、シグナリング、ページング、およびＭＳＣ間のハンドオーバなどの機能を提供する。ＳＧＳＮ１１４は、ルーティングや移動管理などの機能を実行する。
【００１６】
ＳＭＳメッセージをルーティングする際、ＧＭＳＣ／ＳＭＳ−ＩＷＭＳＣ１０６は、ＨＳＳ／ＨＬＲ１０８に対してＭＡＰリクエストを行って、ＵＥ１１６に配信するためのＳＭＳメッセージがルーティングされることになるＭＳＣ１１２またはＳＧＳＮ１１４のアドレスを割り出す。
【００１７】
ＩＰベースの設定では、ＩＰ−ＳＭ−ＧＷ１１８が、ショートメッセージを配信するために、ＩＰクライアントとネットワークとの間のプロトコルインターワーキングを提供する。ＩＰ−ＳＭ−ＧＷ１１８は、ＳＳ７を介して、確立されたＭＡＰプロトコルを使用することにより、ＧＭＳＣ／ＳＭＳ−ＩＷＭＳＣ１０６と通信する。これにより、ＧＭＳＣ／ＳＭＳ−ＩＷＭＳＣ１０６には、ＩＰ−ＳＭ−ＧＷ１１８が、ＭＳＣまたはＳＧＳＮのように見える。ＩＰ−ＳＭ−ＧＷ１１８は、ＩＰアドレスデータベース１２０にアクセスして、電話番号（ＭＳＩＳＤＮ）を、ＷＬＡＮ  ＵＥ１２２のＩＰアドレスと関連付ける。図１には、ＩＰアドレスデータベース１２０を１つのエンティティとして示したが、ＩＰアドレスデータベースは、ＨＳＳ／ＨＬＲ１０８内、ＡＡＡサーバ１１０内、もしくはＩＰ−ＳＭ−ＧＷ１１８内に位置してもよいし、または、その他の適切な任意の場所に位置してもよい。
【００１８】
ＩＰ−ＳＭ−ＧＷ１１８は、パケットデータゲートウェイ（ＰＤＧ：Packet Data Gateway）１２４を使用して、ＷＬＡＮ  ＵＥ１２２と通信する。ＩＰ−ＳＭ−ＧＷ１１８は、ＳＭＳサービスに関して、ＷＬＡＮ  ＵＥ１２２の登録および認証をサポートし、ＷＬＡＮ  ＵＥ１２２とのセキュリティアソシエーションをサポートする。ＩＰ−ＳＭ−ＧＷ１１８は、ＩＰベースのプロトコルを使用して、ＷＬＡＮ  ＵＥ１２２と通信し、ＳＭＳメッセージのフォーマットおよび機能性を維持する。
【００１９】
ＳＭＳメッセージをルーティングする際、ＧＭＳＣ／ＳＭＳ−ＩＷＭＳＣ１０６は、ＨＳＳ／ＨＬＲ１０８に対してＭＡＰリクエストを行って、ＩＰ−ＳＭ−ＧＷ１１８のアドレスを割り出す。さらに、ＨＳＳ／ＨＬＲ１０８は、ＷＬＡＮ  ＵＥ１２２がＩＰベースである（例えば、ＷＬＡＮ  ＵＥが、ＭＳＣ１１２またはＳＧＳＮ１１４ではなく、ＩＰ−ＳＭ−ＧＷ１１８と通信する）という指示と、ＩＰ−ＳＭ−ＧＷ１１８のＳＳ７  ＭＡＰアドレスとを提供する。また、ＨＳＳ／ＨＬＲ１０８には、ＷＬＡＮ  ＵＥ１２２がＩＰを介して接続されていることを判定して、ＭＳＣまたはＳＧＳＮのアドレスではなく、ＩＰ−ＳＭ−ＧＷ１１８のアドレスを返すのに必要なロジックが含まれる。ＡＡＡサーバ１１０は、ＷＬＡＮ  ＵＥ１２２がＩＰ接続されているか否かに関する、ＷＬＡＮ  ＵＥ１２２の接続ステータス（attach status）を保持する。
【００２０】
ＷＬＡＮ  ＵＥへのショートメッセージの配信
図２は、ショートメッセージをＷＬＡＮ  ＵＥに配信する方法２００を示している。ＷＬＡＮ  ＵＥ１２２と、ホームＰＤＧ１２４との間に、トンネルが確立される（ステップ２０２）。トンネルが確立されたあと、ＵＥ１２２は、必要な全てのセキュリティアソシエーションを確立するＩＰ−ＳＭ−ＧＷ１１８に登録され、ＳＭＳサービスのサポート性に関して、認証を行い、ＵＥのＭＳＩＳＤＮ（Ｅ．１６４）とＵＥのＩＰアドレスとの関連付け（association）を登録する（ステップ２０４）。
【００２１】
ＵＥ１２２は、自身のケーパビリティを、（ケーパビリティレポートとして）ＩＰ−ＳＭ−ＧＷ１１８に送信する（ステップ２０６）。ＵＥのケーパビリティには、例えば、メモリサイズ、ターミナルのタイプ、スクリーンサイズ、および、ＵＥがセッション開始プロトコル（ＳＩＰ：Session Initiation Protocol）をサポートするか否かに関する情報が含まれる。ＩＰ−ＳＭ−ＧＷ１１８は、ＵＥのケーパビリティを使用して、ＳＭＳメッセージの配信を拒否するか否かを判定し、ＳＭＳデータおよび通知だけが、ＩＰを介してＵＥ１２２に確実に送信されるようにする。
【００２２】
ＳＭＳＣ１０４は、ＳＭＳメッセージをＳＭＳ−ＧＭＳＣ１０６に送信する（ステップ２０８）。ＳＭＳ−ＧＭＳＣ１０６は、ＨＳＳ／ＨＬＲ１０８に問い合わせて、ＵＥ１２２に関するルーティング情報を検索する（ステップ２１０）。ユーザが、ＳＭＳメッセージの配信について、ＷＬＡＮにおいて登録されていれば、ＨＳＳ／ＨＬＲ１０８は、（適切なＭＳＣまたはＳＧＳＮのアドレスではなく、）ＩＰ−ＳＭ−ＧＷ１１８のアドレスを返す。これによって、ＩＰ−ＳＭ−ＧＷ１１８は、ＵＥ１２２のプロキシとして動作する（ステップ２１２）。ＳＭＳプロキシ（すなわち、ＩＰ−ＳＭ−ＧＷ１１８）は、ＵＥ１２２のケーパビリティ（例えば、メモリサイズ、スクリーンサイズ、またはターミナルのタイプ）と、ＳＭＳデータの性質（テキスト、動画など）とに基づいて、ＳＭＳメッセージの配信を拒否することができる。
【００２３】
ＳＭＳ−ＧＭＳＣ１０６は、ＳＭＳメッセージがあたかもＭＳＣまたはＳＧＳＮに配信されるかのようなプロトコルを使用して、ＳＭＳメッセージをＩＰ−ＳＭ−ＧＷ１１８に転送する（ステップ２１４）。任意的に、ＩＰ−ＳＭ−ＧＷ１１８は、データベース１２０に問い合わせて、ＵＥ１２２に関連付けられたＩＰアドレスおよび適切なセキュリティパラメータを識別してもよい（ステップ２１６）。
【００２４】
ＳＭＳメッセージは、２つの方法により配信することができる。その２つの方法は、通知配信および直接配信である。通知配信の方法が使用される場合、ＩＰ−ＳＭ−ＧＷ１１８は、ＳＭＳ通知リクエストをＵＥ１２２に送信して、ＵＥ１２２に、ＳＭＳメッセージが配信可能であることを通知する（ステップ２１８）。ＵＥ１２２は、ＳＭＳ通知リクエストを受信すると、ＵＥ１２２がＳＭＳメッセージを受信することを望むか否かを指示する通知アクノレッジメント（notification acknowledgement）をもって、ＩＰ−ＳＭ−ＧＷ１１８に応答する（ステップ２２０）。
【００２５】
直接配信の方法が使用される場合（ステップ２１８およびステップ２２０がスキップされる場合）、または、ＳＭＳ通知リクエストに応答されて、肯定アクノレッジメントが、ＵＥ１２２から受信された場合、ＩＰ−ＳＭ−ＧＷ１１８は、可能な複数のプロトコルのうちの１つを使用して、ＳＭＳメッセージをＵＥ１２２に配信する（ステップ２２２）。これらの可能な複数のプロトコルとして、例えば、ワイヤレスアプリケーションプロトコル（ＷＡＰ：Wireless Application Protocol）、ショートメッセージピアツーピアプロトコル（ＳＭＰＰ：Short Message Peer to Peer protocol）、モバイルメッセージアクセスプロトコル（ＭＭＡＰ：Mobile Message Access Protocol）、拡張マークアップ言語（ＸＭＬ：eXtensible Markup Language）、またはＳＩＰ（例えば、ＩＰマルチメディアサブシステム（ＩＭＳ：IP Multimedia Subsystem）クライアント）が挙げられる。ＩＰ−ＳＭ−ＧＷ１１８が、ＳＭＳメッセージの配信を拒否した場合、ステップ２１６〜ステップ２２２はスキップされ、方法２００は、ステップ２２４へ進む。
【００２６】
ＩＰ−ＳＭ−ＧＷ１１８は、配信レポートをＳＭＳ−ＧＭＳＣ１０６に返送する（ステップ２２４）。この配信レポートは、ＳＭＳメッセージがＵＥ１２２に配信されたことを確認するものであるか、または、ＳＭＳメッセージを配信できなかったことと、その失敗の理由とを、ＳＭＳ−ＧＭＳＣ１０６に通知するものである。ＳＭＳ−ＧＭＳＣ１０６は、ＳＭ配信レポートステータスをＨＳＳ／ＨＬＲ１０８に送信する（ステップ２２６）。ＳＭＳ−ＧＭＳＣ１０６は、ＳＭ配信レポートをＳＭＳＣ１０４に送信する（ステップ２２８）。ＵＥ１２２のフロントエンドとして動作するＩＰ−ＳＭ−ＧＷ１１８により、３ＧＰＰ技術規格（ＴＳ：Technical Specification）  ２３．０４０  ｖ６．３．０（２００４−０３）において定義されたメカニズムを用いて、エラー処理が実行されることが好ましいが、その他のエラー処理技術が用いられてもよい。
【００２７】
図３は、ＳＩＰ／ＩＭＳを使用して、ショートメッセージをＷＬＡＮ  ＵＥ１２２に配信する方法３００のフロー図である。ＵＥ１２２は、ＩＭＳ登録プロシージャにしたがって、サービング呼セッション制御機能（Ｓ−ＣＳＣＦ：Serving Call Session Control Function）３０２に登録される（ステップ３１０）。この登録情報は、ＨＳＳ／ＨＬＲ１０８にも記憶される。ＵＥ１２２は、ケーパビリティレポートをＩＰ−ＳＭ−ＧＷ１１８に送信する（ステップ３１２）。ＵＥのケーパビリティには、例えば、メモリサイズ、ターミナルのタイプ、スクリーンサイズ、および、ＵＥがセッション開始プロトコル（ＳＩＰ）をサポートするか否かに関する情報が含まれる。ＩＰ−ＳＭ−ＧＷ１１８は、ＵＥのケーパビリティを使用して、ＵＥ１２２のプロキシとして動作することにより、ＳＭＳメッセージの配信を拒否するか否かを判定する。
【００２８】
ＳＭＳＣ１０４は、ＳＭＳメッセージをＳＭＳ−ＧＭＳＣ１０６に送信する（ステップ３１４）。ＳＭＳ−ＧＭＳＣ１０６は、ＨＳＳ／ＨＬＲ１０８に問い合わせて、ルーティング情報を検索する（ステップ３１６）。ユーザが、ＩＭＳにおいて登録されていれば、ＨＳＳ／ＨＬＲ１０８は、ＭＳＣのアドレスとともに、ＩＰ−ＳＭ−ＧＷ１１８のアドレスを返す。
【００２９】
ＳＭＳ−ＧＭＳＣ１０６は、対象とするＵＥ１２２のＭＳＩＳＤＮを伝えるとともに、ＳＭＳメッセージをＭＳＣまたはＳＧＳＮに配信するかのように、ＳＭＳメッセージをＩＰ−ＳＭ−ＧＷ１１８に転送する（ステップ３１８）。ＩＰ−ＳＭ−ＧＷ１１８は、対象とするＵＥ１２２のＴＥＬ−ＵＲＬを使用して、ＳＩＰリクエストＵＲＩを投入し（populate）、次いで、ＳＩＰ  ＭＥＳＳＡＧＥメソッドを用いて、ＳＭＳメッセージをＳ−ＣＳＣＦ３０２に転送する（ステップ３２０）。次いで、Ｓ−ＣＳＣＦ３０２は、ＳＩＰ  ＭＥＳＳＡＧＥ（ＳＭＳメッセージ）をＵＥ１２２に配信する（ステップ３２２）。
【００３０】
ＵＥ１２２は、ＳＩＰ  ＭＥＳＳＡＧＥ（ＳＭＳメッセージ）を受信すると、２００  ＯＫメッセージをＳ−ＣＳＣＦ３０２に送信することにより、応答する（ステップ３２４）。この２００  ＯＫメッセージは、配信レポートではないことに留意されたい。なぜならば、２００  ＯＫメッセージは、配信レポート内に含まれる情報を伝えることができないからである。Ｓ−ＣＳＣＦ３０２は、２００  ＯＫメッセージをＩＰ−ＳＭ−ＧＷ１１８に送信する（ステップ３２６）。
【００３１】
次いで、ＵＥ１２２は、ＳＩＰ  ＭＥＳＳＡＧＥメソッドを用いて、配信レポートをＳ−ＣＳＣＦ３０２に送信する（ステップ３２８）。Ｓ−ＣＳＣＦ３０２は、フィルタ情報に基づいて、ＳＩＰ  ＭＥＳＳＡＧＥ（配信レポート）をＩＰ−ＳＭ−ＧＷ１１８に転送する（ステップ３３０）。ＩＰ−ＳＭ−ＧＷ１１８は、ＳＩＰ  ＭＥＳＳＡＧＥフォーマットから配信レポートを抽出し、その配信レポートをＳＭＳ−ＧＭＳＣ１０６に送信する（ステップ３３２）。
【００３２】
ＳＭＳ−ＧＭＳＣ１０６は、ＳＭ配信レポートステータスメッセージをＨＳＳ／ＨＬＲ１０８に送信する（ステップ３３４）。ＳＭＳ−ＧＭＳＣ１０６は、配信レポートをＳＭＳＣ１０４に転送する（ステップ３３６）。ＩＰ−ＳＭ−ＧＷ１１８は、２００  ＯＫメッセージをＳ−ＣＳＣＦ３０２に送信する（ステップ３３８）。これにより、ＩＰ−ＳＭ−ＧＷ１１８は、配信レポートがＳＭＳＣ１０４に送信されたことを通知する。Ｓ−ＣＳＣＦ３０２は、２００  ＯＫメッセージをＵＥ１２２に送信する（ステップ３４０）。これにより、Ｓ−ＣＳＣＦ３０２は、配信レポートが送信されたことを、ＵＥ１２２に通知する。
【００３３】
ＷＬＡＮ  ＵＥからのショートメッセージの送信
図４は、ＷＬＡＮ  ＵＥ１２２からショートメッセージを送信する方法４００を示す図である。ＵＥ１２２と、ホームＰＤＧ１２４との間に、トンネルが確立される（ステップ４０２）。トンネルが確立されたあと、ＵＥ１２２は、必要な全てのセキュリティアソシエーションを確立するＩＰ−ＳＭ−ＧＷ１１８に登録され、ＳＭＳサービスのサポート性に関して、認証を行い、ＵＥのＭＳＩＳＤＮ（Ｅ．１６４）とＵＥのＩＰアドレスとの関連付けを登録する（ステップ４０４）。ＵＥ１２２に関する情報は、ＨＳＳ／ＨＬＲ１０８にも記憶される。ＵＥ１２２は、自身のケーパビリティをＩＰ−ＳＭ−ＧＷ１１８に送信して（ステップ４０６）、ＳＭＳターミナルプロキシオペレーションが可能となるようにする。ケーパビリティ情報が送信されたあと、ＩＰ−ＳＭ−ＧＷ１１８は、ＵＥ１２２に関する全てのＳＭＳ制御メッセージを処理する（ステップ４０８）。
【００３４】
ＵＥ１２２は、例えば、ＷＡＰ、ＳＭＰＰ、ＭＭＰＰ、またはＸＭＬを使用して、ＳＭＳメッセージをＩＰ−ＳＭ−ＧＷ１１８に送信する（ステップ４１０）。ＩＰ−ＳＭ−ＧＷ１１８は、ＳＭＳメッセージを抽出し、標準（standard）ＭＡＰを使用して、ＩＰ−ＳＭ−ＧＷ１１８があたかもＭＳＣまたはＳＧＳＮであるかのように、そのＳＭＳメッセージをＳＭＳ−ＩＷＭＳＣ１０６に転送する（ステップ４１２）。
【００３５】
ＳＭＳ−ＩＷＭＳＣ１０６は、ＳＭＳメッセージをＳＭＳＣ１０４に転送する（ステップ４１４）。ＳＭＳＣ１０４は、ＳＭＳメッセージを受信すると、配信レポートをＳＭＳ−ＩＷＭＳＣ１０６に送信する（ステップ４１６）。ＳＭＳ−ＩＷＭＳＣ１０６は、配信レポートをＩＰ−ＳＭ−ＧＷ１１８に転送する（ステップ４１８）。配信レポートには、ＳＭＳＣ１０４への配信が成功したか、または失敗したかに関する指示が含まれる。配信に失敗した場合、ＳＭＳＣ１０４は、ＳＭＳ−ＩＷＭＳＣ１０６にレポートし戻し、ＳＭＳ−ＩＷＭＳＣ１０６は、ＳＭＳメッセージを再転送しようと試みる。リトライの回数が閾値を超えた場合、配信失敗レポートが、ＵＥ１２２に送信されることになる。
【００３６】
ＩＰ−ＳＭ−ＧＷ１１８は、専用のメカニズムおよび／またはプロトコルを使用して、配信レポートをＵＥ１２２に送信する。好ましい実施形態では、配信レポートは、ＳＭＰＰなどのＩＰベースの送信によって送信される。配信レポートは、ＳＭＳメッセージがＳＭＳＣ１０４に配信されたことを確認するものであるか、または、ＳＭＳメッセージを配信できなかったことと、その失敗の理由とを、ＵＥ１２２に通知するものである。
【００３７】
メッセージ受信の場合と同様に、ＵＥ１２２のフロントエンドとして動作するＩＰ−ＳＭ−ＧＷ１１８により、ＴＳ  ２３．０４０  ｖ６．３．０（２００４−０３）において定義されたメカニズムを用いて、メッセージ送信に関するエラー処理が実行されることが好ましいが、その他のエラー処理技術が用いられてもよい。
【００３８】
Ｉ−ＷＬＡＮ  ＵＥ側における新たなプロシージャの実装が低減され、Ｉ−ＷＬＡＮ  ＵＥ側では、単純なオペレーションのみが実行されて、ＳＭＳデータの受信が確認されるか、または、再送信するために、失敗（corrupt）メッセージがレポートされる。
【００３９】
図５は、ＳＩＰ／ＩＭＳを使用して、ＷＬＡＮ  ＵＥ１２２からショートメッセージを送信する方法５００のフロー図である。ＵＥ１２２は、ＩＭＳ登録プロシージャにしたがって、Ｓ−ＣＳＣＦ５０２に登録される（ステップ５１０）。この登録情報は、ＨＳＳ／ＨＬＲ１０８にも記憶される。ＵＥ１２２は、ケーパビリティレポートをＩＰ−ＳＭ−ＧＷ１１８に送信する（ステップ５１２）。ＵＥのケーパビリティには、例えば、メモリサイズ、ターミナルのタイプ、スクリーンサイズ、および、ＵＥがセッション開始プロトコル（ＳＩＰ）をサポートするか否かに関する情報が含まれる。ＩＰ−ＳＭ−ＧＷ１１８は、ＵＥのケーパビリティを使用して、ＳＭＳターミナルプロキシオペレーションが可能となるようにする。これにより、ＩＰ−ＳＭ−ＧＷ１１８は、ＵＥ１２２に関する全てのＳＭＳ制御メッセージを処理することが可能となる。
【００４０】
ＵＥ１２２は、ＳＩＰ  ＭＥＳＳＡＧＥメソッドを用いて、ＳＭＳメッセージをＳ−ＣＳＣＦ５０２に送信する（ステップ５１４）。Ｓ−ＣＳＣＦ５０２は、フィルタ情報に基づいて、ＳＩＰ  ＭＥＳＳＡＧＥ（ＳＭＳメッセージ）をＩＰ−ＳＭ−ＧＷ１１８に転送する（ステップ５１６）。ＩＰ−ＳＭ−ＧＷ１１８は、ＳＩＰ  ２０２  ＡｃｃｅｐｔｅｄメッセージをＳ−ＣＳＣＦ５０２に送信する（ステップ５１８）。これにより、ＩＰ−ＳＭ−ＧＷ１１８は、ＳＩＰ  ＭＥＳＳＡＧＥ（ＳＭＳメッセージ）を受信したことを示す。このメッセージ受信情報は、ＳＩＰ  ２０２  Ａｃｃｅｐｔｅｄメッセージにより、Ｓ−ＣＳＣＦ５０２からＵＥ１２２に転送される（ステップ５２０）。
【００４１】
ＩＰ−ＳＭ−ＧＷ１１８は、ＳＩＰ  ＭＥＳＳＡＧＥフォーマットからＳＭＳメッセージを抽出し、標準ＭＡＰシグナリングを使用して、そのＳＭＳメッセージをＳＭＳ−ＩＷＭＳＣ１０６に転送する（ステップ５２２）。ＳＭＳＣ１０４のアドレスは、ＳＩＰ  ＭＥＳＳＡＧＥのＲ−ＵＲＩからか、または、ＳＭＳの内在情報（content）から抽出される。ＳＭＳ−ＩＷＭＳＣ１０６は、ＳＭＳメッセージをＳＭＳＣ１０４に転送する（ステップ５２４）。
【００４２】
ＳＭＳＣ１０４は、配信レポートをＳＭＳ−ＩＷＭＳＣ１０６に送信する（ステップ５２６）。この配信レポートは、ＳＭＳＣ１０４がＳＭＳメッセージを受信したという通知である。ＳＭＳ−ＩＷＭＳＣ１０６は、配信レポートをＩＰ−ＳＭ−ＧＷ１１８に転送する（ステップ５２８）。ＩＰ−ＳＭ−ＧＷ１１８は、ＳＩＰ  ＭＥＳＳＡＧＥメソッドを用いて、配信レポートをＳ−ＣＳＣＦ５０２に転送する（ステップ５３０）。Ｓ−ＣＳＣＦ５０２は、ＳＩＰ  ＭＥＳＳＡＧＥ（配信レポート）をＵＥ１２２に転送する（ステップ５３２）。ＵＥ１２２は、２００  ＯＫメッセージをＳ−ＣＳＣＦ５０２に送信する（ステップ５３４）。これにより、ＵＥ１２２は、ＳＩＰ  ＭＥＳＳＡＧＥ（配信レポート）を受信したことを通知する。次いで、２００  ＯＫメッセージが、Ｓ−ＣＳＣＦ５０２からＩＰ−ＳＭ−ＧＷ１１８に送信される（ステップ５３６）。
【００４３】
本発明の特徴および要素を、好ましい実施形態における特定の組合せをもって、説明したが、各特徴または各要素は、（好ましい実施形態のその他の特徴および要素なしで）単独で使用することもできるし、本発明のその他の特徴および要素の有無に関係なく、様々な組合せをもって、使用することもできる。
【図１】
2014207677.tif 000003
【図２】
2014207677.tif 000004
【図３】
2014207677.tif 000005
【図４】
2014207677.tif 000006
【図５】
2014207677.tif 000007